(57)【要約】      （修正有）【課題】快適性の向上及び健康の安全性の向上を図ると共に、冷却効率または暖房効率を向上することのできる空気調和機の提供。【解決手段】フロントパネル３の前面を遮蔽すると共に、室内機１の上面及び側面に形成された吸込口４ａ，４ｅから室内の空気が取り入れられ、室内熱交換器３と熱交換した後、吹出口の第１開口部５ａから室内に送出される。所定の時期になると、横ルーバ１１ａ，１１ｂが回動して第１開口部が閉塞され、回動板１４，１５が回動して第２開口部５ｂが開放される。これにより、送風経路６を流通する調整空気は分岐通路１３を流通して第２開口部から送出され、上方に導かれる。フロントパネルに沿って上昇する調整空気は遮蔽されたフロントパネルにより遮られ、室内機内への流入が防止される。従って、使用者に常に冷たい風や暖かい風が当たることを防止するとともに、風量を低下させることなくショートサーキットを防止することができる。【選択図】図３
2006300515.tif 000002
【特許請求の範囲】
【請求項１】
室内の壁面に取り付けて、吸込口から取り入れた空気を調和して下部に設けた吹出口から下方乃至上方に切り替えて送出する空気調和機において、前記吸込口の少なくとも一部を空気調和機の側面部に設けたことを特徴とする空気調和機。
【請求項２】
前記吹出口よりも上方の前面側を遮蔽する遮蔽部を設けたことを特徴とする請求項１に記載の空気調和機。
【請求項３】
前記吹出口よりも上方の前面側を遮蔽する遮蔽部を設けるととともに前記遮蔽部に前記吸込口を形成する開口部を設け、垂直面に投影して該開口部の開口面積を前記吹出口よりも上方の投影面積の２０％以下にしたことを特徴とする請求項１に記載の空気調和機。
【請求項４】
垂直面に投影して、前記吹出口よりも上方の長さを１００％とし、前面側の上から５０％よりも下方を遮蔽する遮蔽部を設けたことを特徴とする請求項１に記載の空気調和機。
【請求項５】
前記遮蔽部に断熱材を設けたことを特徴とする請求項２〜請求項４のいずれかに記載の空気調和機。
【請求項６】
前記吹出口から上方に調和空気を送出して冷房運転または除湿運転を行うことを特徴とする請求項１〜請求項５のいずれかに記載の空気調和機。
【発明の詳細な説明】
【技術分野】
【０００１】
本発明は、吸い込んだ空気を調和して送出する空気調和機に関する。
【背景技術】
【０００２】
図１９は従来の空気調和機の室内機を示す概略側面断面図である。空気調和機の室内機１は、キャビネット２により本体部が保持されており、キャビネット２には上面側と前面側に吸込口４ａ、４ｃが設けられたフロントパネル３が着脱自在に取り付けられている。キャビネット２は後方側面に爪部（不図示）が設けられており、室内の壁に取り付けられた取付板に該爪部を嵌合することにより支持される。
【０００３】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には空気を送出する送風ファン７が配されている。送風ファン７として、例えばクロスフローファン等を用いることができる。
【０００４】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。室内熱交換器９は圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００５】
室内熱交換器９の前後の下部には冷房または除湿時に室内熱交換器９から落下した結露を捕集するドレンパン１０が設けられている。送風経路６内の吹出口５の近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【０００６】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【０００７】
室内機１内に取り込まれた空気は室内熱交換器９と熱交換し、冷却または加熱される。そして、送風経路６を通って縦ルーバ１２及び横ルーバ１１ａ、１１ｂによって左右方向及び上下方向に向きを規制されて吹出口５から下方に向けて室内に送出される。
【０００８】
また、空気調和機の運転の開始直後は速やかに室内の空気を循環させる必要がある。このため、送風ファン７の回転速度を高くして室内熱交換器９で熱交換された空気は吹出口５から勢いよく送出される。そして、室温と設定温度との温度差が小さくなると、送風ファン７の調整により徐々に送風量が低下する。これにより、きめ細かに室内が均一な温度分布に形成されるようになっている。
【発明の開示】
【発明が解決しようとする課題】
【０００９】
しかしながら、上記の従来の空気調和機によると、空気調和機は通常、使用者の身長よりも高い位置に設置され、吹出口５から略水平方向乃至下方向に送風される。このため、設定温度付近に達した状態で送風を継続すると使用者に常に冷たい風や暖かい風が当たることになる。従って、使用者に不快感を与える問題があった。また、除湿運転時や冷房運転時では局所的に使用者の体温を低下させて健康に害を与える問題もあった。
【００１０】
これらの問題を解決するために、吹出口から上方に調和空気を送出できる空気調和機が研究開発されている。図２０はこの空気調和機の室内機を示す概略側面断面図であり、前述の図１９と同一の部分には同一の符号を付している。室内機１の吹出口５は第１開口部５ａと第２開口部５ｂとを有している。第１開口部５ａは送風経路６の終端に下方に臨んで配されている。第２開口部５ｂは送風経路６から上方に傾斜して分岐する分岐通路１３により送風経路６と連通している。分岐通路１３の両端には、回動軸１４ａ、１５ａでフロントパネル３に枢支される回動板１４、１５が設けられている。
【００１１】
空気調和機の運転を開始すると、吸込口４ａ、４ｃから室内機１内に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて矢印Ａ１に示すように第１開口部５ａから略水平方向乃至下方向に向けて室内に送出される。
【００１２】
また、空気調和機の運転の開始直後は速やかに室内の空気を循環させる必要がある。このため、送風ファン７の回転速度を高くして室内熱交換器９で熱交換された空気は吹出口５から勢いよく送出される。室温と設定温度との温度差が小さくなったことを温度センサ（不図示）により検知すると、送風ファン７の調整により徐々に送風量が低下する。
【００１３】
そして、図２１に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気が分岐通路１３を流通して第２開口部５ｂから送出され、矢印Ａ２に示すように上方に導かれる。
【００１４】
従って、使用者に常に冷たい風や暖かい風が当たることがなく、使用者の不快感を防止して快適性を向上することができる。更に、冷房時には局所的に使用者の体温を低下させることがなく健康上の安全性を向上することができるようになっている。
【００１５】
しかしながら、上記の空気調和機によると、第２開口部５ｂから上方に送出された調和空気が、矢印Ａ３に示すようにフロントパネル３の前面に設けられた吸込口４ｃから室内機１内に取り込まれ、所謂ショートサーキットが生じる。このため、空気調和機の冷却効率または暖房効率を低下させる問題があった。
【００１６】
更に、冷房運転時や除湿運転時には第２開口部５ｂから送出された冷気が直ちに室内熱交換器９を通過するため、室内熱交換器９内の冷媒は充分な熱を吸収することができない。このため、室内熱交換器９の温度が標準の運転時に比して低下して結露の増加及び結露水の凍結が発生する。
【００１７】
そして、冷房運転または除湿運転を継続すると室内熱交換器９の表面に氷が成長し、室内熱交換器９から離れた位置の氷は低温に維持されずに一部が解ける。この解けた水滴は送風ファン７に滴下すると第２開口部５ｂから室内に放出される。また、室内熱交換器９の温度が低下し、キャビネット２やフロントパネル３の表面が結露して結露水が滴下する。これらにより、室内が浸水する問題があった。更に、室内熱交換器９の表面に成長した氷の押圧力によってキャビネット２やフロントパネル３等に破損や変形が発生する問題もあった。
【００１８】
本発明は、快適性の向上及び健康上の安全性の向上を図ることができるとともに、冷却効率または暖房効率を向上することのできる空気調和機を提供することを目的とする。また、本発明は、ショートサーキットを防止して結露による室内の浸水及び空気調和機の破損や変形を防止することのできる空気調和機を提供することを目的とする。
【課題を解決するための手段】
【００１９】
上記目的を達成するために本発明は、室内の壁面に取り付けて、吸込口から取り入れた空気を調和して下部に設けた吹出口から下方乃至上方に切り替えて送出する空気調和機において、前記吸込口の少なくとも一部を空気調和機の側面部に設けたことを特徴としている。この構成によると、空気調和機を運転すると、空気調和機の側面部と例えば前面部とに設けた吸込口から取り込まれた空気が調和されて吹出口から下方に送出され、所定の時期になると吹出口から上方に送出される。空気調和機内には側面部から空気が取込まれるため前面側からの空気の流入量が制限される。
【００２０】
また本発明は、上記構成の空気調和機において、前記吹出口よりも上方の前面側を遮蔽する遮蔽部を設けたことを特徴としている。この構成によると、上方に送出された調和空気は、遮蔽部によって前面側から空気調和機内に取込まれることなく室内に流通する。尚、空気調和機の前面側と言う場合には、正面から視認できる傾斜面や曲面が含まれる。
【００２１】
また本発明は、上記構成の空気調和機において、前記吹出口よりも上方の前面側を遮蔽する遮蔽部を設けるととともに前記遮蔽部に前記吸込口を形成する開口部を設け、垂直面に投影して該開口部の開口面積を前記吹出口よりも上方の投影面積の２０％以下にしたことを特徴としている。この構成によると、吹出口から上方に送出された調和空気は開口面積の小さい遮蔽部によって前面側から空気調和機内に取込まれる量が制限されて室内に流通する。
【００２２】
また本発明は、上記構成の空気調和機において、垂直面に投影して、前記吹出口よりも上方の長さを１００％とし、前面側の上から５０％よりも下方を遮蔽する遮蔽部を設けたことを特徴としている。この構成によると、吹出口から上方に送出された調和空気は下方を遮蔽した遮蔽部によって前面側から空気調和機内に取込まれる量が制限されて室内に流通する。
【００２３】
また本発明は、上記各構成の空気調和機において、前記遮蔽部に断熱材を設けたことを特徴としている。この構成によると、吹出口から上方に調整空気を送出する際に、空気調和機に取り込まれた空気と、遮蔽部の表面を通る空気との温度差による結露が防止される。
【００２４】
また本発明は、上記各構成の空気調和機において、前記吹出口から上方に調整空気を送出して冷房運転または除湿運転を行うことを特徴としている。
【発明の効果】
【００２５】
本発明によると、吹出口から下方及至上方に切り替えて送出する空気調和機において吸込口の少なくとも一部を空気調和機の側面部に設けることによって、使用者に常に冷たい風や暖かい風が当たることがなく、使用者の不快感防止による快適性の向上及び健康上の安全性の向上を図ることができる。また、空気調和機の前面側から取込まれる空気量を減少させて従来よりもショートサーキットを低減することができる。
【００２６】
また本発明によると、空気調和機の前面側を遮蔽する遮蔽部を設けたので、使用者の不快感防止による快適性の向上及び健康上の安全性の向上を図ることができるとともに、ショートサーキットを防止して冷却効率或いは暖房効率を向上させることができる。また、ショートサーキットの防止により、冷房運転時や除湿運転時に結露の増加や結露水の凍結及び成長を防止できる。従って、結露水や凍結した氷が解けた水による室内への水の放出を防止することができるとともに、成長した氷の押圧力による空気調和機の変形や破損を防止することができる。更に、側面部の吸込口により充分な風量を確保して、運転効率の低下を防止できるとともに、充分な風量を確保するために送風ファンの回転数を増加させる必要がなく、騒音の増大を防止することができる。
【００２７】
また本発明によると、空気調和機の前面側に吸込口の開口率が２０％以下の遮蔽部を設けたので、使用者の不快感防止による快適性の向上及び健康上の安全性の向上を図ることができるとともに、ショートサーキットを抑制して冷却効率或いは暖房効率を向上させることができる。また、結露水や凍結した氷が解けた水が放出されることによる室内の浸水や、成長した氷による空気調和機の変形や破損を防止することができる。更に、前面側及び側面部の吸込口により、下方向に調和空気を送出する際に充分な風量を確保することができる。
【００２８】
また本発明によると、垂直面に投影して吹出口よりも上方の長さを１００％としたときに、前面側の下方の５０％を遮蔽部により遮蔽しているので、使用者の不快感防止による快適性の向上及び健康上の安全性の向上を図ることができるとともに、ショートサーキットを抑制して冷却効率或いは暖房効率を向上させることができる。また、結露水や凍結した氷が解けた水が放出されることによる室内の浸水や、成長した氷による空気調和機の変形や破損を防止することができる。更に、前面側及び側面部の吸込口により、下方向に調和空気を送出する際に充分な風量を確保することができる。
【００２９】
また本発明によると、遮蔽部に断熱材を設けることにより、遮蔽部の両面の温度差による結露を防止することができる。
【００３０】
また本発明によると、吹出口から上方に調和空気を送出して冷房運転または除湿運転を行うので、ショートサーキットによる結露水の増加や結露水の凍結を防止することができる。
【発明を実施するための最良の形態】
【００３１】
以下に本発明の実施形態を図面を参照して説明する。説明の便宜上、従来例の図２０、図２１と同様の部分については同一の符号を付している。図１、図２は第１実施形態の空気調和機の室内機を示す概略側面断面図及び斜視図である。空気調和機の室内機１は、キャビネット２により本体部が保持されている。
【００３２】
キャビネット２の前面側には、本体部を覆うようにフロントパネル３が着脱自在に取り付けられている。キャビネット２の上面側には吸込口４ａが設けられており、前方には前面側が遮蔽されたフロントパネル３が着脱自在に取り付けられている。室内機１の側面側にはキャビネット２の側面部２ｂとフロントパネル３との間の空隙によって吸込口４ｅが形成されている。吸込口４ｅは後述する送風経路６と連通しており、吸込口４ｅから取り入れられる空気は吸込口４ａからの空気とエアフィルタ８の前面側で合流するようになっている。
【００３３】
キャビネット２は後方側面に爪部（不図示）が設けられており、室内の壁に取り付けられる取付板に該爪部を嵌合することにより支持される。フロントパネル３の下端部とキャビネット２の下端部との間隙には、室内機１の幅方向に延びる略矩形の第１、第２開口部５ａ、５ｂから成る吹出口５が形成されている。
【００３４】
室内機１の内部には、吸込口４ａ、４ｅから吹出口５に連通する送風経路６が形成されている。送風経路６内のキャビネット２の前方には空気を送出する送風ファン７が配されている。送風ファン７として、例えばクロスフローファン等を用いることができる。
【００３５】
フロントパネル３に対向する位置には、吸込口４ａ、４ｅから吸い込まれた空気に含まれる塵埃を捕集・除去するエアフィルタ８が設けられている。送風経路６中の送風ファン７とエアフィルタ８との間には、室内熱交換器９が配置されている。フロントパネル３と室内熱交換器９との間には所定間隔の空間が設けられており、吸込口４ａ、４ｅから取り入れられた空気が該空間を通って室内熱交換器９と広い面積で接触するようになっている。
【００３６】
室内熱交換器９は圧縮機（不図示）に接続されており、圧縮機の駆動により冷凍サイクルが運転される。冷凍サイクルの運転によって、冷房時には室内熱交換器９が周囲温度よりも低温に冷却される。暖房時には、室内熱交換器９が周囲温度よりも高温に加熱される。尚、室内熱交換器９とエアフィルタ８との間には吸い込まれた空気の温度を検知する温度センサ（不図示）が設けられている。
【００３７】
室内熱交換器９の前後の下部には、冷房または除湿時に室内熱交換器９から落下した結露を捕集するドレンパン１０が設けられている。前方のドレンパン１０はフロントパネル３に取り付けられ、後方のドレンパン１０はキャビネット２と一体に形成されている。送風経路６内の吹出口５の第１開口部５ａの近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【００３８】
第２開口部５ｂは送風経路６から上方に傾斜して分岐する分岐通路１３により送風経路６と連通している。分岐通路１３の両端には回動軸１４ａ、１５ａでフロントパネル３に枢支される回動板１４、１５が設けられている。回動板１５により分岐通路１３を閉じると、回動板１５が送風経路６の内壁面を形成して気流を案内する。これにより、送風経路６を流通する空気の流通抵抗の増加を防止するようになっている。
【００３９】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｅから空気が吸い込まれ、エアフィルタ８によって空気中に含まれる塵埃が除去される。
【００４０】
室内機１内に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００４１】
また、空気調和機の運転の開始直後は速やかに室内の空気を循環させる必要がある。このため、送風ファン７の回転速度を高くして室内熱交換器９で熱交換された空気は吹出口５から勢いよく送出される。室温と設定温度との温度差が小さくなったことを温度センサにより検知すると、送風ファン７の制御により徐々に送風量が低下する。
【００４２】
そして、図３に示すように、横ルーバ１１ａ、１１ｂが回動して第１開口部５ａが閉塞され、回動板１４、１５が回動して第２開口部５ｂ及び分岐通路１３の分岐部分が開放される。これにより、吸込口４ａ、４ｅから取り込まれた空気が送風経路６及び分岐通路１３を流通して第２開口部５ｂから送出され、同図及び図４の矢印Ａ２に示すように上方に導かれる。従って、使用者に常に冷たい風や暖かい風が当たることがなく、使用者の不快感を防止して快適性を向上することができる。更に、冷房時には局所的に使用者の体温を低下させることがなく健康上の安全性を向上することができる。
【００４３】
また、第２開口部５ｂから上方に送出される調整空気はフロントパネル３の前面を通過するが、フロントパネル３の前面側が遮蔽されているためショートサーキットの発生を著しく低減することができる。従って、空気調和機の冷却効率または暖房効率の低下を防止することができる。尚、フロントパネル３の前面側に傾斜面や曲面が形成された場合であっても、正面から視認できる傾斜面や曲面であれば遮蔽することによって同様の効果を得ることができる。
【００４４】
また、ショートサーキットが発生しないため、冷房運転時に結露水の凍結及び成長を防止できる。従って、結露水の凍結による氷が解けた水や結露水が室内へ放出されることによる浸水を防止することができるとともに、成長した氷の押圧力による室内機１の変形や破損を防止することができる。
【００４５】
更に、吸込口４ｅが室内機１の側面側に開放されているので、フロントパネル３の前面側を遮蔽しても充分な風量を確保することができる。従って、運転効率の低下を防止できるとともに、充分な風量を確保するために送風ファン７の回転数を増加させる必要がなく、騒音の増大を防止することができる。室内機１と室内の天井との空間が狭く吸込口４ａからの吸気量が少ない場合には、風量低下を防止する効果がより大きくなる。
【００４６】
また、フロントパネル３の内面は室内機１内に取り込まれた空気と接触し、フロントパネル３の外面は吹出口５から送出された調和空気と接触する。このため、フロントパネル３の両面の温度差により結露が生じやすくなるが、発泡樹脂等から成る断熱材をフロントパネル３に固着すると、結露を防止できるのでより望ましい。フロントパネル３を中空に形成して空気層や真空層から成る断熱材を設けてもよい。
【００４７】
尚、空気調和機によって除湿運転を行う際も同様に、室内熱交換器９との熱交換により除湿された低温の空気を上方に送出することにより上記と同様の効果を得ることができる。また、空気調和機は、室内熱交換器内に蒸発部と凝縮部とを備えた再熱ドライ方式の除湿装置であってもよい。即ち、再熱ドライ方式の除湿装置は、蒸発部で熱交換により冷却除湿された空気が凝縮部で熱交換により昇温されて室内に送出される。この時、凝縮器で昇温しても尚、体温よりも低温の空気が常に使用者に当たることを防止することができる。
【００４８】
次に、図５は第２実施形態の空気調和機の室内機を示す斜視図である。前述の図１〜図４に示す第１実施形態と同様の部分には同一の符号を付している。第１実施形態と異なる点は、吸込口４ｅの開口部にキャビネット２の側面部２ｂと一体に形成される桟２ｃを設けて吸込口４ｅをスリット状に形成している点である。その他の部分は第１実施形態と同一である。
【００４９】
本実施形態においても第１実施形態と同様に、矢印Ａ１に示すように第１開口部５ａから水平乃至下方に調整空気を送出することができる。そして、所定の時期になると図６の矢印Ａ２に示すように、第２開口部５ｂから上方に向けて調整空気を送出することができる。従って、第１実施形態と同様の効果を得ることができるとともに、桟２ｃにより室内機１内への異物の侵入を防止することができる。
【００５０】
次に、図７は第３実施形態の空気調和機の室内機を示す斜視図である。前述の図１〜図４に示す第１実施形態と同様の部分には同一の符号を付している。第１実施形態と異なる点は、キャビネット２の側面部２ｂに設けた開口部により吸込口４ｅを形成している点である。吸込口４ｅは室内熱交換器９の側面断面の形状に応じて、側面部２ｂにより室内熱交換器９の側面を覆いつつ、室内熱交換器９の上面に沿った形状に形成されている。これにより、吸込口４ｅから流入する空気が低い流通抵抗で室内熱交換器９と接触することができるようになっている。その他の部分は第１実施形態と同一である。
【００５１】
本実施形態においても第１実施形態と同様に、矢印Ａ１に示すように第１開口部５ａから水平乃至下方に調整空気を送出することができる。そして、所定の時期になると図８の矢印Ａ２に示すように、第２開口部５ｂから上方に向けて調整空気を送出することができる。従って、第１実施形態と同様の効果を得ることができる。
【００５２】
次に、図９、図１０は第４実施形態の空気調和機の室内機を示す概略側面断面図及び斜視図である。前述の図１〜図４に示す第１実施形態と同様の部分には同一の符号を付している。第１実施形態と異なる点は、フロントパネル３の上部に吸込口４ｃを設けている点である。その他の部分は第１実施形態と同一である。
【００５３】
空気調和機の運転を開始すると、室内機１内に吸込口４ａ、４ｃ、４ｅから吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００５４】
室温と設定温度との温度差が小さくなったことを温度センサにより検知すると、送風ファン７の調整により徐々に送風量が低下する。そして、図１１に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気は分岐通路１３を流通して同図及び図１２の矢印Ａ２に示すように、第２開口部５ｂから上方に送出される。
【００５５】
従って、第１実施形態と同様に、使用者に常に冷たい風や暖かい風が当たることがなく、使用者の不快感を防止して快適性を向上するとともに、冷房時には局所的に使用者の体温を低下させることがなく健康上の安全性を向上することができる。
【００５６】
また、第２開口部５ｂから送出された調整空気の一部は矢印Ａ３に示すようにフロントパネル３に設けられた吸込口４ｃから室内機１内に取り込まれてショートサーキットが生じる。しかしながら、本実施形態は以下の方法によりショートサーキットの発生を抑制している。
【００５７】
図１３はショートサーキットの風量と吸込口４ｃの開口率との関係を示している。横軸は開口率（単位：％）を示している。開口率は垂直面に投影した際に、吹出口５よりも上方の投影面積に対する吸込口４ｃの開口面積の割合により表している。縦軸はショートサーキットの風量を示しており、開口率５０％の時のショートサーキットの風量を１としたときの比により表している。また、垂直面に投影して吹出口５よりも上方の長さを１００％とし、上から５０％の位置を中心にして上下略対称に分散して吸込口を配置した時の実験データを示している。
【００５８】
同図によると、開口率の増加に伴ってショートサーキットの風量が増加する。前述の図２０、図２１に示す従来例の開口率は約５０％になっている。開口率を２０％以下にするとショートサーキットの風量が従来の１／２以下になる。従って、本実施形態は、吸込口４ｃの開口率を２０％以下に形成することによって、従来よりも著しくショートサーキットの発生を抑制できるようになっている。
【００５９】
また、図１４はショートサーキットの風量と吸込口４ｃの位置との関係を示している。縦軸はショートサーキットの風量を示しており、垂直面に投影して吹出口５よりも上方の長さを１００％とし、上から５０％の位置を中心に上下略対称に分散して開口率５０％の吸込口を配置した時のショートサーキットの風量を１としている。
【００６０】
横軸は吸込口４ｃの位置を示している。吸込口４ｃの位置は、垂直面に投影して、室内機１の上から吸込口４ｃの下端までの距離を吹出口５よりも上方の室内機１の長さに対する比（単位：％）により表している。また、図１３の結果から、開口率が２０％の吸込口４ｃの位置を可変したときの実験データを示している。
【００６１】
同図によると、吸込口４ｃを上方に配置するほどショートサーキットの風量が減少する。そして、吸込口４ｃの下端が上から６０％の位置と５０％の位置との間でショートサーキットの風量が急激に減少する。従って、本実施形態は、吸込口４ｃを室内機１の上から５０％以内に設け、下方を遮蔽することによって更にショートサーキットの発生を抑制することができるようになっている。
【００６２】
これにより、従来よりも空気調和機の冷却効率を向上させることができる。また、室内機１の上面が室内の天井と接近している場合には上面の吸込口４ａから取り込まれる空気量が減少しても、側面側の吸込口４ｅだけでなく前方に面して設けられる吸込口４ｃから空気を取り込むことができ、送風効率の低下を防止することができる。また、本実施形態に示すように、上方へ行くほど後方へ傾斜する傾斜面３ａ（図１１参照）に吸込口４ｃを形成することにより、ショートサーキットを更に抑制することができる。
【００６３】
次に、図１５、図１６は第５実施形態の空気調和機の室内機を示す概略側面断面図及び斜視図である。前述の図９〜図１２に示す第４実施形態と同様の部分には同一の符号を付している。第４実施形態と異なる点は、吸込口４ｃが、フロントパネル３の上端とキャビネット２の上面部２ａとの間に設けられた隙間により形成されている点である。その他の部分は第４実施形態と同一である。
【００６４】
吸込口４ａ、４ｃ、４ｅから室内機１内に取り込まれた空気は吹出口５の第１開口部５ａから矢印Ａ１に示すように略水平方向乃至下方に送出される。室温と設定温度との温度差が小さくなったことを温度センサにより検知すると、図１７に示すように、横ルーバ１１ａ、１１ｂにより第１開口部５ａが閉塞される。同時に、回動板１４、１５の回動により第２開口部５ｂ及び分岐通路１３が開放される。これにより、第２開口部５ｂから同図及び図１８の矢印Ａ２に示すように調整空気が上方に送出される。
【００６５】
本実施形態は吸込口４ｃの開口率が２０％以下になっている。また、垂直面に投影して吹出口よりも上方の室内機１の長さを１００％としたときに上から５０％以内に吸込口４ｃの下端が設けられ、フロントパネル３の下方が遮蔽されている。従って、第４実施形態と同様にショートサーキットの発生を抑制することができる。尚、吹出口５から上方に調整空気を送出する際に吸込口４ｃを閉じる開閉機構を設けるとより望ましい。
【００６６】
第１〜第５実施形態において、フロントパネル３の全面或いは下方を遮蔽しているが、前述の図２０、図２１に示す従来例においても室内機の側面側に第１〜第５実施形態と同様の吸込口４ｅを設けた場合は、前面側の吸込口４ｃ（図２０参照）から取込まれる空気量を減少させることができる。従って、吹出口５から上方に向けて調整空気を送出した際に従来よりもショートサーキットを低減することができる。
【図面の簡単な説明】
【００６７】
【図１】本発明の第１実施形態の空気調和機の室内機を示す概略側面断面図である。
【図２】本発明の第１実施形態の空気調和機の室内機を示す斜視図である。
【図３】本発明の第１実施形態の空気調和機の室内機の動作を示す概略側面断面図である。
【図４】本発明の第１実施形態の空気調和機の室内機の動作を示す斜視図である。
【図５】本発明の第２実施形態の空気調和機の室内機を示す斜視図である。
【図６】本発明の第２実施形態の空気調和機の室内機の動作を示す斜視図である。
【図７】本発明の第３実施形態の空気調和機の室内機を示す斜視図である。
【図８】本発明の第３実施形態の空気調和機の室内機の動作を示す斜視図である。
【図９】本発明の第４実施形態の空気調和機の室内機を示す概略側面断面図である。
【図１０】本発明の第４実施形態の空気調和機の室内機を示す斜視図である。
【図１１】本発明の第４実施形態の空気調和機の室内機の動作を示す概略側面断面図である。
【図１２】本発明の第４実施形態の空気調和機の室内機の動作を示す斜視図である。
【図１３】本発明の第４実施形態の空気調和機の室内機の吸込口の開口率とショートサーキット風量との関係を示す図である。
【図１４】本発明の第４実施形態の空気調和機の室内機の吸込口の位置とショートサーキット風量との関係を示す図である。
【図１５】本発明の第５実施形態の空気調和機の室内機を示す概略側面断面図である。
【図１６】本発明の第５実施形態の空気調和機の室内機を示す斜視図である。
【図１７】本発明の第５実施形態の空気調和機の室内機の動作を示す概略側面断面図である。
【図１８】本発明の第５実施形態の空気調和機の室内機の動作を示す斜視図である。
【図１９】従来の空気調和機の室内機を示す概略側面断面図である。
【図２０】他の従来の空気調和機の室内機を示す概略側面断面図である。
【図２１】他の従来の空気調和機の室内機の動作を示す概略側面断面図である。
【符号の説明】
【００６８】
１ 室内機
２ キャビネット
２ｂ 側面部
３ フロントパネル
４ａ、４ｃ、４ｅ 吸込口
５ 吹出口
５ａ 第１開口部
５ｂ 第２開口部
６ 送風経路
７ 送風ファン
８ エアフィルタ
９ 室内熱交換器
１０ ドレンパン
１１ａ、１１ｂ 横ルーバ
１２ 縦ルーバ
１３ 分岐通路
１４、１５ 回動板
【図１】
2006300515.tif 000003
【図２】
2006300515.tif 000004
【図３】
2006300515.tif 000005
【図４】
2006300515.tif 000006
【図５】
2006300515.tif 000007
【図６】
2006300515.tif 000008
【図７】
2006300515.tif 000009
【図８】
2006300515.tif 000010
【図９】
2006300515.tif 000011
【図１０】
2006300515.tif 000012
【図１１】
2006300515.tif 000013
【図１２】
2006300515.tif 000014
【図１３】
2006300515.tif 000015
【図１４】
2006300515.tif 000016
【図１５】
2006300515.tif 000017
【図１６】
2006300515.tif 000018
【図１７】
2006300515.tif 000019
【図１８】
2006300515.tif 000020
【図１９】
2006300515.tif 000021
【図２０】
2006300515.tif 000022
【図２１】
2006300515.tif 000023